(57)【要約】光学部分２０と、磁気部分３０とを備え、光学部分が光学符号を伝える複数の光学要素を含み、磁気部分が磁気符号を伝える複数の磁気要素を含み、光学及び磁気符号がタグ１０の真正さを認証し得るように相互に相補的であるようにした、組み合わせタグ１０が記載されている。光学及び磁気符号の双方をタグ内に内蔵させることは、これら符号によってタグが模造され難くされるようにすることができる点にて有益である。タグ１０は、偽造防止の用途に適している。
2005501319.tif 000002
【特許請求の範囲】
【請求項１】
光学部分と、磁気部分とを備え、光学部分が光学符号を伝える複数の光学要素を含み、磁気部分が磁気符号を伝える複数の磁気要素を含み、光学符号及び磁気符号がタグの真正さを認証し得るよう相互に相補的であるようにした、組み合わせ磁気タグ。
【請求項２】
光学要素が、バーコード要素及び２次元的に配置されたドット要素の１つ以上を備える、請求項１に記載のタグ。
【請求項３】
磁気要素が磁気層及び磁気ワイヤの１つ以上を備える、請求項１又は２に記載のタグ。
【請求項４】
磁気要素がタグ上に実質的にランダムに分配される、請求項１、２又は３に記載のタグ。
【請求項５】
磁気要素がその角度方位、長さ及び保磁力に関してランダムに分配される、請求項４に記載のタグ。
【請求項６】
磁気要素がタグ上に空間的に規則的に配置される、請求項１、２又は３に記載のタグ。
【請求項７】
磁気要素が、磁気的に問い合わしたとき、磁気飽和可能である磁気的にやわらかい材料から製造される、請求項１から６の何れか１つに記載のタグ。
【請求項８】
光学要素が多色とされる、請求項１から７の何れか１つに記載のタグ。
【請求項９】
磁気要素及び光学要素が、プラスチック材料及び木系材料の１つ以上を備える１つ以上の基板上に形成される、請求項１から８の何れか１つに記載のタグ。
【請求項１０】
光学符号及び磁気符号が相互に相関するように配置される、請求項１から９の何れか１つに記載のタグ。
【請求項１１】
磁気符号が、光学符号を発生させるように、公開−非公開かぎ対の非公開かぎを使用して符号化されるようにした、請求項１０に記載のタグ。
【請求項１２】
図１から４の１つ以上に関して説明したものと実質的に同一のタグ。
【請求項１３】
請求項１から１２の何れか１つに記載のタグに問い合わせる方法において、
（ａ）その磁気符号を読取るためタグを磁気的に問い合わせるステップと、
（ｂ）その光学符号を読取るためタグを光学的に問い合わせるステップと、
（ｃ）両者が一致することを決定し、これによりタグが真正であるか否かを判断するように、読取った磁気符号を読取った光学符号と相関させるステップとを備える、方法。
【請求項１４】
（ａ）その磁気符号を読取るためタグを磁気的に問い合わせるステップと、
（ｂ）その光学符号を読取るためタグを光学的に問い合わせるステップと、
（ｃ）磁気符号を使用して読取った光学符号を解読し、解読した光学データを発生させ、次に、読取った磁気符号を解読した光学データと相関させ、両者が一致することを決定し、これによりタグが真正であるか否かを判断するステップとを備える、請求項１から１２の何れか１つに記載のタグに問合わせる方法。
【請求項１５】
（ａ）複数の基板を連続的な素材の形態にて提供するステップと、
（ｂ）磁気素材を形成し得るよう磁気要素を素材の１つに付着させるステップと、
（ｃ）複合的素材を形成し得るよう磁気素材の他方を素材に接合するステップと、
（ｄ）複合的素材を分断して個々のタグにするステップと、
（ｅ）その相応する磁気符号を決定するため、個々のタグを磁気的に問い合わせるステップと、
（ｆ）その磁気符号に相応し又はその磁気符号と相関可能な光学符号を個々のタグに印刷するステップとを備える、請求項１から１２の何れか１つに記載のタグを製造する方法。
【請求項１６】
ステップ（ｂ）において、磁気要素がランダムに付着されるようにした、請求項１５に記載の方法。
【請求項１７】
磁気要素が、その角度方位、その保磁力及びその長さに対してランダムに分配されるようにした、請求項１６に記載の方法。
【請求項１８】
請求項１から１２の何れか１つに記載のタグを製造する装置。
【発明の詳細な説明】
【発明の分野】
【０００１】
本発明は、組み合わせタグに関し、特に、非限定的に、本発明は、相互に相補的である光学部分と、磁気部分とを備える、組み合わせ磁気タグに関する。更に、本発明は、組み合わせタグをプログラミングする方法にも関する。更に、本発明は、組み合わせタグに問い合わせる方法に更に関する。
【発明の背景】
【０００２】
例えば、バーコードのような光学タグは周知である。これらのタグは、スーパーマーケットのような小売店にて消費者向け製品にラベル付けするため広く使用されている。更に、これらの光学タグは、その低コスト及び走査したレーザビームを使用して問い合わせるときの容易さのため、広く普及している。多くの場合、かかるバーコードは、印刷した形態であり且つ、例えば、包装した食料品を包む紙箱における製品包装ラベルの一体部分である。これと代替的に、その他の場合、光学タグは、非接触型インキジェット印刷を介して包装ラベルに事後的に追加される。
【０００３】
光学タグは、比較的容易に模造され易いことがしばしばであるという欠点を有する。かかる模造は、相応する真正商品と同様の光学バーコードを付した偽造商品が正当であるか否かを判断することを困難にする可能性がある。この困難性に対処するため、幾つかの型式の光学タグは、例えば、小切手や手形のような有価証券の如き既存のラベル又は製品の図形デザイン細部の隠れた部分の一部となるように仕組まれている。例えば、光学タグの特徴部をラベルの絵の一部として内蔵し、その絵が人間の視覚に正常であるように見え、人間の目でざっと検査したとき、認識し得ないように光学タグの特徴部を目立たない状態で内蔵されるようにすることが既知である。本発明の発明者達は、模造することがより困難であり、また、添付され又は一体部分とされる製品の真正さに関する高度の認証を可能にする光学タグが必要とされていることを知った。
【発明の概要】
【０００４】
本発明の第一の特徴によれば、光学部分と、磁気部分とを備え、光学部分が光学符号を伝える複数の光学要素を有し、磁気部分が磁気符号を伝える複数の磁気要素を有し、タグの真正さを認証し得るように光学符号及び磁気符号が相互に相補的である組み合わせ磁気タグが提供される。
【０００５】
本発明は、光学符号及び磁気符号の双方をタグに内蔵することで、それら符号によってタグの模造がより困難になる点にて有益である。
タグは、偽造防止の用途に特に適している。
【０００６】
好ましくは、光学要素は、１つ以上のバーコード要素と、２次元的に配置されたドット要素とを備えている。これら双方の型式の要素は、光学的問い合わせを容易に行うことができ且つ、近代の光学読取り装置及びスキャナと適合可能である。
【０００７】
より好ましくは、磁気要素は、１つ以上の磁気層と、磁気ワイヤとを備えている。磁気層は、シートの形態にて容易に且つ低廉に大量製造できる点にて有益である。これと逆に、磁気ワイヤは、磁気読取り可能性を向上させる、特に良好に画定された、相応する磁気の簡易な軸線を提供することができる。
【０００８】
好ましくは、磁気要素は、タグ上で実質的にランダムに分配されている。タグ上にて磁気要素をランダムに分配することは、模造及び偽造をより困難にする独特の識別性を有するタグを実現することができる。より好ましくは、磁気要素は、その角度方位、長さ及び保磁力に関してランダムに分配されるものとする。
【０００９】
これと代替的に、タグ同士の共通性が有利である場合、かかる共通性を保証するため、磁気要素はタグ上で空間的に規則的に配置されることが好ましい。
好ましくは、磁気要素は、磁気的に問い合わせたとき、磁気飽和され易い磁気的にやわらかい材料で製造されるものとする。かかる磁気的にやわらかい材料は、問い合わせ磁界を受けたとき、磁気スイッチとして機能し、これにより検出可能な結合した磁界を発生させ、よって要素が磁気的に読取り可能であるようにすることができる。
【００１０】
タグに対し追加的な情報を提供するため、光学要素は多色であることが好ましい。このように、光学要素は、必要であるならば、相互に異なる色のものとすることができる。
タグは、ＲＦＩＤタグの使用が抑制される用途にて使用し得るように相対的に低廉であることが好ましい。このように、タグは、低廉な材料にて製造されることが好ましい。このため、好ましくは、磁気要素及び光学要素は、プラスチック材料及び木系材料の１つ以上を備える１つ以上の基板上に形成されるようにする。
【００１１】
タグを符号化するとき、光学符号及び磁気符号は、相補的であり且つ関連していることが望ましい。このように、光学符号及び磁気符号は、相互に相関するように配置されることが好ましい。
【００１２】
タグが第三者に対し認証可能にするため、かかる第三者には、公開かぎが与えられることが好ましい。かかる公開かぎが与えられるとき、磁気符号は、光学符号を発生させるため公開−非公開かぎ対の非公開かぎを使用して符号化されることが特に好ましい。
【００１３】
本発明の第二の特徴によれば、本発明の第一の特徴に従ってタグに問い合わせる方法であって、
（ａ）その磁気符号を読取るためタグを磁気的に問い合わせるステップと、
（ｂ）その光学符号を読取るためタグを光学的に問い合わせるステップと、
（ｃ）両者間で一致することを決定し、これにより、タグは真正であるか否かを判断するため読取った磁気符号を読取った光学符号と相関させるステップとを備える方法が提供される。
【００１４】
方法は、相関させることを介してその真正さを認証すべくタグが容易に読取り可能であるようにする点にて有益である。
本発明の第三の特徴によれば、本発明の第一の特徴に従ってタグに問い合わせる方法であって、
（ａ）その磁気符号を読取るためタグを磁気的に問い合わせるステップと、
（ｂ）その光学符号を読取るためタグを光学的に問い合わせるステップと、
（ｃ）符号解読した光学データを発生させ、次に読取った磁気符号を符号解読した光学データと相関させ、両者間にて一致することを決定し、これによりタグが真正であるかどうかを判断するため、磁気符号を使用して読取った光学符号を符号解読するステップとを備える、方法が提供される。
【００１５】
本発明の第四の特徴によれば、本発明の第一の特徴によるタグを製造する方法であって、
（ａ）複数の基板を連続的な素材の形態にて提供するステップと、
（ｂ）磁気要素を素材の１つに配置して磁気素材を形成するステップと、
（ｃ）素材の他方を磁気素材に接合して複合的素材を形成するステップと、
（ｄ）複合的素材を個々のタグに分断するステップと、
（ｅ）その相応する磁気符号を決定すべく個々のタグを磁気的に問い合わせるステップと、
（ｆ）その磁気符号に相応し且つ（又は）相関可能な光学符号を個々のタグに印刷するステップとを備える方法が提供される。
【００１６】
方法は、連続的にタグを大量生産することを実現し、これによりタグのコストを削減することを可能にする点にて有益である。
好ましくは、方法は、ステップ（ｂ）にて磁気要素をランダムに配置し得るように仕組まれるものとする。
【００１７】
好ましくは、磁気要素は、その角度方位、その保磁力及びその長さに関してランダムに分配されるようにする。
本発明による特徴の任意のものを任意の組み合わせにて組み合わせることが可能であることが理解されよう。
【００１８】
次に、図面を参照しつつ、単に一例としてのみ本発明の実施の形態について説明する。
【発明の実施の形態の説明】
【００１９】
図１を参照すると、本発明による組み合わせタグの概略図が図示されている。タグは、全体として、参照番号１０で示してある。タグ１０は、光学部分２０と、磁気部分３０と、取付け層４０とを備えている。取付け層４０は、タグ１０を製品の表面に取り付ける接着フィルムであることが好ましい。
【００２０】
光学部分２０は、タグ１０が製品に添付され又は製品内に組み込まれたとき、露出し、従って見得るように配置される。光学部分２０は、白の背景に一連の印刷された黒色バーを備える従来の線形バーコードのような特徴部を組み込み、バーが光学符号を付したデータを伝え得るような幅及び光学部分２０における空間的分配状態を有する。これと代替的に又は追加的に、ドット様の特徴部を２次元的に分配したものを含め、ドットの２次元的空間分配状態を使用して光学符号データを伝えるようにする。所望であるならば、ドット／バー空間位置、ドット／バー色及びドット／バー幅の双方にて符号データを伝え得るようにドット及び（又は）バーは、相互に異なる色とすることができる。
【００２１】
磁気部分３０は、例えば、国際ＰＣＴ出願ＰＣＴ／ＧＢ９９／０００８１号及びＰＣＴ／ＧＢ００／０３０９２号のような公開された特許出願に記載されたタグと同様の仕方にてつくられる。磁気部分３０は、複数の磁気要素を備え、これら要素は、１つ以上の磁気層及び磁気ワイヤとして具体化される。要素の各々には、要素が最も容易に磁化される箇所である穏やかな軸線が関係している。例えば、５Ａ／ｍ程度の比較的低磁化レベルにて飽和するように選ばれた磁気的にやわらかい材料で要素が製造されているため、要素は、該要素に印加された低い頻度の問い合わせ磁界を高い頻度の磁界構成要素に組み合わせることができる。この点に関して低周波数とは、３０から２５０Ｈｚ程度を意味する一方、高周波数とは、５００Ｈｚから１００ｋＨｚ程度を意味することが好ましい。このように、要素は、低周波数の回転的に走査する磁界を使用して問い合わせ、要素を周期的に磁気的に飽和させ且つ、これに相応して高周波数の飽和磁界成分を発生させ、次に、要素によって発生された高周波数の磁界を検出することが可能である。
【００２２】
磁気部分３０は、その磁気的に穏やかな軸線が相互に相違する角度方位にて配置されるかかる要素を複数備えている。要素の各々には、飽和保磁力パラメータ、要素の穏やかな軸線の方位パラメータ及び長さパラメータを介して説明することができる磁気的特徴が関係している。飽和保磁力パラメータ及び角度パラメータは、上述した走査磁界を使用して要素に問い合わせることにより決定することができる磁気符号データを磁気部分３０に付与する。
【００２３】
タグ１０は、多数の方法を使用して製造することができる。
第一の方法において、磁気部分２０及び光学部分３０を、同時に製造し、次に、互いに接合する。次に、取付け層４０を付与する。次に、磁気部分２０を磁気的に問い合わせてその固有の磁気符号を決定し、次に、相補的な光学的に読取り可能な符号を光学部分２０に印刷し又は光学部分２０上に形成する。
【００２４】
第二の方法において、磁気部分２０を製造し且つその磁気符号を磁気的に問い合わせて読取る。磁気符号と相補的である、光学的に読取り可能な相応する符号が考案されている。次に、光学的に読取り可能な符号を光学部分２０に書き込み、次に、その光学部分を磁気部分に結合する。次に、取付け層４０を磁気部分３０に追加する。これと代替的に、磁気部分３０を光学部分２０に取り付ける前に、取付け層４０を磁気部分３０に追加してもよい。
【００２５】
組み合わせタグ１０は、光学及び磁気形態の双方の形態の符号データを含み、これらの符号データは、偽造によって光学的符号を付すことのみが予想される場合、タグ１０が偽造防止手段として使用可能であるようにする。タグ１０の問い合わせは、光学的問い合わせ段階及び磁気的問い合わせ段階の双方を含む。光学的段階及び磁気的段階は、同時に行うことができる。これとは逆に、これらの段階は、磁気的段階又は光学的段階の何れかを最初に行って連続的に行うことができる。
【００２６】
タグ１０を符号化し得るようにすることができる幾つかの方法がある。
第一の方法において、磁気部分３０は、ランダムな符号を有するように製造される、すなわち、磁気部分３０の磁気要素は、例えば、相互に異なる角度方位にてタグを接着剤で被覆したタグ基板上に運ぶ空気渦流を介して分配する。要素は、相互に異なる保磁力、相互に異なる長さ及び相互に異なる角度方位を有するようにすることが好ましい。更に、要素は、相対的に低い磁界強度にて磁気的に飽和させることのできる磁気層及び磁気ワイヤの１つ以上とすることができる。
【００２７】
このように、タグ１０の各々は、該タグと関係した潜在的に独特の磁気データ符号を付した相応する磁気部分３０を有することになろう。例えば、ｉが１からｎの範囲の整数である場合、一連のｎ個のタグにおけるｉ番目のタグには、磁気符号Ａi、Ｃi、Ｌiが関係しており、ここで、Ａ、Ｃ、Ｌは、ｉ番目のタグのそれぞれ要素の角度方位、要素の保磁力及び要素のダイポール長さを表わすパラメータである。次に、上記に説明したような磁気読取り装置を使用し、磁気部分３０を磁気的に読み取ってＡi、Ｃi、Ｌiを決定する。次に、磁気符号に相応する光学的にランダムな符号Ｏiを次のように計算する、
Ｏi＝Ｆ（Ａi、Ｃi、Ｌi）                    等式１
ここで、Ｆはマッピング関数である。
【００２８】
１つの簡単な事例において、光学符号Ｏiは、磁気符号、すなわち製品の識別子及び製品の系統番号と共に、単にＡi、Ｃi、Ｌiの１つ以上と同一である。
このように、認証目的のためにタグ１０が採用されるとき、光学部分２０は、従来の光学レーザスキャンを使用して読取られ、系統番号、製品の識別子及び光学的にランダムな符号Ｏiを決定し、次に、例えば、上記に記載したような磁気スキャナを使用して磁気部分３０を読み取り、Ａi、Ｃi、Ｌiの１つ以上を決定する。次に、検査アルゴリズムを適用して光学符号ＯiをＡi、Ｃi、Ｌiの１つ以上と相関させ、相関が成功したならば、タグ１０及びその関係した製品は真正であると見なされる。
【００２９】
より複雑な事例において、その後に光学部分２０として記録される符号化したデータを提供するため、符号化パラメータとしてＡi、Ｃi、Ｌiの１つ以上を使用して符号化関数として製品の識別子及び系統番号の１つ以上を符号化する。かかる仕方にて符号化されたタグ１０を読取るとき、磁気部分３０を最初に読み取り、その磁気符号、すなわち、Ａi、Ｃi、Ｌiの１つ以上を決定する。次に、光学部分２０を読取ってその光学的符号Ｏiを決定する。次に、磁気符号を使用して光学符号Ｏiを変換し系統番号、製品符号の１つ以上の符号を解読する。最後に、光学符号Ｏiの検証部分をＡi、Ｃi、Ｌiの１つ以上と相関させ、タグ１０の真正さ及び該タグが添付されるその関係した製品の真正さを点検する。
【００３０】
より複雑な事例は、製品の系統番号及び製品の型式が単純な視覚的検査によって直ちに判別されず、このことは、偽造をより困難にするという有利な効果がある。
所望であるならば、非公開−公開かぎによる符号化機能をタグ１０に提供することができる。かかる手法において、１対の相応的な符号化かぎ、すなわち第一及び第二の符号化かぎは算術的アルゴリズムにより発生される。かぎは、かぎの１つを知る悪意のある当事者がそのかぎから他方のかぎを推測することができないように仕組まれる。更に、かぎの１つは、データを符号化するために使用し、他方のかぎは、データを解読するために使用することができる。更に、かぎは、この手法において、データの符号化及び解読の双方に個々に使用することはできない。
【００３１】
このように、タグ１０のユーザには、公開かぎと呼ばれる第一のかぎが与えられる。磁気部分３０は、製造中、ランダムな磁気符号を有するように組み立てられる。磁気符号は、その後、磁気読取り装置を使用して読み取られ且つ、秘密に保たれてユーザに秘密を漏らすことのない第二のかぎにて符号化される。これにより、第二のかぎは非公開かぎのままである。次に、非公開かぎにより符号化された磁気符号は、バーコード又はドットの形態にて光学的符号として光学部分２０に光学的に書き込まれる。
【００３２】
ユーザが非公開かぎを使用して符号化したタグ１０を受け取ったとき、タグ１０は、例えば、ラップトップＰＣ又はＰＣソフトウェアのような付加価値製品に添付され、ユーザは、タグ１０から光学符号を読み取り、次に、公開かぎを使用して相応するデータを発生させてその光学符号を解読する。次に、ユーザは、磁気タグ読取り装置を使用してタグ１０から磁気符号を読み取り、これを解読した光学データと相関させる。磁気符号及び解読した光学データが正確に相応するならば、タグ１０及びその関係した製品は、真正であると見なされる。
【００３３】
非公開−公開かぎの発生に関しては、公開された米国特許出願第４２６４７８２号（コーンハイム（Ｋｏｎｈｅｉｍ））に記載されており、この米国特許出願は、Ｍ．Ｏ．ラビン（Ｒａｂｉｎ）によるＩＢＭテクニカル公開文献、Ｖｏｌ．２０、ｎｏ．８、３３３７−３３３８ページ（１９７８年１月）の最初の出版物「符号化による署名及び認証（Ｓｉｇｎａｔｕｒｅ  ａｎｄ  Ｃｅｒｔｉｆｉｃａｔｉｏｎ  ｂｙ  Ｃｏａｄｉｎｇ）」及びＭ．Ｉ．Ｔ計算科学研究所論文ＭＩＴ／ＬＣＳ／ＴＭ−８２（１９７７年４月）の第二の出版物「デジタル署名及び公開かぎ暗号化システムに関して（Ｏｎ  ｄｉｇｉｔａｌ  Ｓｉｇｎａｔｕｒｅｓ  ａｎｄ  Ｐｕｂｌｉｃ−Ｋｅｙ  Ｃｒｙｐｔｏ−Ｓｙｓｔｅｍｓ）」に言及している。公開された特許出願の第一及び第二の出版物は、参考として引用し及び明細書に含めてある。
【００３４】
次に、図２及び図３を参照しつつ、タグ１０の構造について説明する。図２において、磁気部分３０がより詳細に図示されている。磁気部分３０は、磁気部分３０の主要面上にランダムに分配された複数の磁気要素を備えている。製造過程にて製造されたタグ１０の要素は、タグ１０の前に及びその後に製造された相応するタグと比較して、要素の長さ、保磁力及び方位が相違する。
【００３５】
必要であるならば、磁気部分３０は、その磁気要素の意識的に順序だてた位置決めに相応する画成された磁気符号を有するように配置することができる。例えば、必要であるならば、要素は相互に平行のような規則的なパターンにて配置することができる。
【００３６】
図３において、光学部分２０は、図３ａに平行な線バーコードを備え、また、図３ｂに２次元的ドット符号を備えるものとして図示されている。上記に説明したように、バー及び（又は）ドットは、必要であるならば、追加的な情報を伝え得るように多色のものとすることができる。
【００３７】
次に、図４を参照すると、本発明による組み合わせタグを製造する製造装置の概略図が図示されている。装置は、全体として参照番号１００で示され、第一、第二及び第三のリール１１０、１２０、１３０をそれぞれ備えている。第一、第二及び第三のリール１１０、１２０、１３０は、第一、第二及び第三の連続的なひも状素材１４０、１５０、１６０をそれぞれ受け入れる。第一のひも状素材１４０は、ドット又はバーコードのような光学的情報を印刷することが可能なプラスチック材料又はカード又は紙のような木系材料の如き基板材料を備えている。同様に、第二のひも状素材１５０は、例えば、プラスチック材料又はカード又は紙のような木系材料の如き基板材料を備えている。第三のひも状素材１６０は、ろう紙裏ばりに接着剤フィルムを備えている。
【００３８】
作動時、装置１００は、第二のひも状素材１５０を接着剤分与装置１７０に供給し、該接着剤分与装置は、接着剤フィルムをひも状素材１６０に付着させる。ひも状素材１６０は、装置１７０を経て磁気要素の分配装置１８０まで進み、該磁気要素の分与装置は、例えば、磁気的に穏やかなワイヤの細長い部分のような磁気要素を空気流に沿って搬送し且つ、要素を接着剤フィルム上にランダムに付着させ、要素は該接着剤フィルムに植込まれる。装置１００は、第一及び第三のひも状素材１４０、１６０を装置１８０からの第二のひも状素材１５０と共に、ガイド（図示せず）を介して１対のばね負荷式ローラ１９０ａ、１９０ｂに供給する。ローラ１９０ａ、１９０ｂは、該ローラに供給されたひも状素材を互いに圧縮して出力組み合わせひも状素材を提供し、該ひも状素材は、その後、衝撃切断工具２００を使用して個々のタグに分断される。次に、個々のタグをタグ読取り装置２１０によって読み取り、その磁気符号を決定し、磁気符号はコンピュータシステム２２０に通信される。コンピュータシステム２２０は、相応する光学バーコードをタグに印刷するインキジェットプリンタ２３０を作動させる。
【００３９】
図４（差込み図）には、タグの１つの断面図が図示されている。タグは、頂部から底部への順序にて、光学部分２０を形成する印刷インキ層２４０及び第一の基板と、磁気部分３０を形成する磁気要素層２６０及び第二の基板と、除去可能なろう紙層２８０を裏ばりした取付け層４０とを有する。タグが製品の周りに添付されたとき、ろう紙層４０は除去される。
【００４０】
本発明の範囲から逸脱せずに、上記に説明した本発明の実施の形態に対し改変例を具体化することが可能であることが理解されよう。
【図面の簡単な説明】
【００４１】
【図１】光学部分と、磁気部分とを含む本発明による組み合わせタグの概略図である。
【図２】図１の磁気部分のより詳細図である。
【図３】図１の光学部分のより詳細図である。
【図４】本発明による組み合わせタグを製造する装置の図である。
【図２】
2005501319.tif 000003
【図４】
2005501319.tif 000004
【国際公開パンフレット】
2005501319.tif 000005
2005501319.tif 000006
2005501319.tif 000007
2005501319.tif 000008
2005501319.tif 000009
2005501319.tif 000010
2005501319.tif 000011
2005501319.tif 000012
2005501319.tif 000013
2005501319.tif 000014
2005501319.tif 000015
2005501319.tif 000016
2005501319.tif 000017
2005501319.tif 000018
2005501319.tif 000019
2005501319.tif 000020
2005501319.tif 000021
2005501319.tif 000022
2005501319.tif 000023
【国際調査報告】
2005501319.tif 000024
2005501319.tif 000025
2005501319.tif 000026